(57)【特許請求の範囲】
【請求項１】
長手方向に沿って一側に配置される、遊技球を排出する排出通路と、
前記排出通路の設けられていない領域に、谷部を隔て、長手方向に沿って形成される２つの丘部と、を備え、
前記２つの丘部は、それぞれ、前記谷部に向かって高さが低くなるように傾斜する傾斜面を備えること、
前記傾斜面は前記排出通路の底面及び谷部の底面よりも高い位置に形成されること、
前記傾斜面は、それぞれ、前記丘部の上面を形成する第１斜面と、前記丘部の下面を形成する第２斜面とを備え、該第２斜面の傾斜度が該第１斜面の傾斜度より急角度に設定されることにより、該第１斜面と前記排出通路の底面との間および該第１斜面と前記谷部の底面との間には段差が形成されること、
前記第２斜面は平面視で略Ｌ字形状に形成され、その角部が弧状に形成されること、
前記排出通路の底面と前記谷部の底面はＴ字形状の底面を形成し、前記２つの丘部から流れる遊技球の流れが前記谷部で合流し、前記排出通路へ流れる流路となること、
前記丘部の上部空間に遊技球の供給個数を規制する供給量規制部材が配置され、該供給量規制部材は前記谷部の全部または一部を覆い、該供給量規制部材は、側面に、前記排出通路への遊技球の流下を規制する誘導板を備えること、
を特徴とする遊技機の球貯留タンク。
【発明の詳細な説明】
【技術分野】
【０００１】
本発明は、遊技球を球払出装置に供給する遊技機の球貯留タンクに関する。
【背景技術】
【０００２】
特許文献１に記載の発明は、一条のタンクレールであっても球詰まりを起こすことなく流出できる球タンクとする目的で、球タンクを、パチンコ球を受け止める球受け面１０ａと、その下流に下流面１０ｂとに分割する。球受け面１０ａを、パチンコ球が下流面１０ｂに向けて転動する緩い斜面とし、下流面１０ｂを球受け面１０ａと直交する方向に向けた緩い斜面とする。下流面１０ｂの下流部にパチンコ球をタンクレールへ導く球流出口１６を設ける。さらに、球流出口１６を設けた側から略中央位置まで球受け面１０ａと下流面１０ｂとを分離する誘導提１９を設ける。さらに球流出口１６に、球流出口１６の上方へせり出す球均し突条１７を設けて、パチンコ球が下流面１０ｂ上に２層以上に重なった場合であっても下層のパチンコ球が優先的に球流出口から流れ出させ、自重による遊技球の排出を促すことができる。
【先行技術文献】
【特許文献】
【０００３】
【特許文献１】特開平２０１２−２４３２７号公報
【発明の概要】
【発明が解決しようとする課題】
【０００４】
しかしながら、特許文献１の発明では、球タンクの底面を斜面とし、誘導堤を設けているものの、依然として、球流出口に遊技球が集中し、補給装置から補給されるパチンコ球の球圧が作用して、これらの球圧により球詰まりを生じるおそれを排除することが困難であった。また、遊技機の球供給装置の通路は、一条通路は未だ少なく、２条通路が一般的であり、タンクのスリム化によるコスト削減も課題である。
【課題を解決するための手段】
【０００５】
本発明は、長手方向に沿って一側に配置される、遊技球を排出する排出通路と、排出通路の設けられていない領域に、谷部を隔て、長手方向に沿って形成される２つの丘部と、を備え、２つの丘部は、それぞれ、谷部に向かって高さが低くなるように傾斜する傾斜面を備えること、傾斜面は排出通路の底面及び谷部の底面よりも高い位置に形成されること、傾斜面は、それぞれ、丘部の上面を形成する第１斜面と、丘部の下面を形成する第２斜面とを備え、第２斜面の傾斜度が第１斜面の傾斜度より急角度に設定されることにより、第１斜面と排出通路の底面との間および第１斜面と谷部の底面との間には段差が形成されること、第２斜面は平面視で略Ｌ字形状に形成され、その角部が弧状に形成されること、排出通路の底面と谷部の底面はＴ字形状の底面を形成し、２つの丘部から流れる遊技球の流れが谷部で合流し、排出通路へ流れる流路となること、丘部の上部空間に遊技球の供給個数を規制する供給量規制部材が配置され、供給量規制部材は谷部の全部または一部を覆い、供給量規制部材は、側面に、排出通路への遊技球の流下を規制する誘導板を備えること、を特徴とする遊技機の球貯留タンクである。
【０００７】
供給量規制部材は谷部の全部または一部を覆う。これにより、谷部への球技球数を規制でき、谷部での安定した遊技球の流れが維持でき、玉噛み防止効果を高めている。
【０００８】
供給量規制部材の高さは、底面からの高さが遊技球数の３個未満の高さに設定されることが好ましく、これにより、供給量規制部材から谷あるいは丘部に対して遊技球を円滑に供給できる。
【０００９】
排出通路の幅は遊技球１個以上２個未満に設定されることが好ましく、これにより、１条通路とすることができ、タンクをスリム化し、製造コストを削減できる。
【００１０】
傾斜面は、丘部の上面を形成する第１斜面と、丘部の下面を形成する第２斜面とを備え、第１斜面の傾斜度が第２斜面の傾斜度よりも緩やかである。これにより、遊技球の流れが緩やかな勾配を利用した円滑な流れとなる効果がある。
【００１１】
第２斜面は平面視で略Ｌ字形状に形成され、その角部が弧状に形成されている。これにより、角部での球圧を緩和できる。
【００１２】
排出通路の下流端部には、底面から所定の高さに配置される高さ調整部材を設け、下流に流れる遊技球の高さ方向での個数を規制することが好ましく、これにより、縦方向の遊技球の個数を制限でき、球の部品を設けることができる。
【００１３】
所定の高さは遊技球３個未満に設定されることが好ましく、これにより、タンクの球出口で遊技球が三段以上に積み重ならないので、下流側のタンクレールでの縦の積み重ねの球数を小さくできるという効果がある。
【発明の効果】
【００１４】
請求項１記載の発明によれば、谷部を隔て、長手方向に沿って形成される２つの丘部を備え、２つの丘部は、それぞれ、谷部に向かって高さが低くなるように傾斜する傾斜面を備え、斜面は排出通路の底面及び谷部の底面よりも高い位置に形成され、２つの丘部から流れる遊技球の流れが谷部で合流し、排出通路へ流れる流路となるので、タンク内での玉噛みを防止し、安定した遊技球の流れが維持できる。
【００１５】
丘部の上部空間にオーバーフロー用の供給量規制部材を配置するので、タンクに流入する遊技球の球数を規制することができ、安定した遊技球の流れが維持でき、玉噛み効果を高めている。
【図面の簡単な説明】
【００１６】
【図１】本発明実施形態の球貯留タンクで供給量規制部材と高さ調整部材を除いた平面図である。
【図２】同じく左側板を除去した場合の斜視図である。
【図３】同じく長手方向に沿って縦に切断した縦断面図である。
【図４】本発明実施形態の球貯留タンクの分解斜視図である。
【図５】同じく平面図である。
【図６】同じく供給量規制部材を除いた平面図である。
【図７】同じく長手方向に沿って縦に切断し高さ調整部材の動作を示す縦断面図である。
【図８】（ａ）〜（ｄ）は、それぞれ、高さ調整部材の平面図、右側面図、底面図、正面図である。
【図９】本発明実施形態の球貯留タンクでの遊技球Ｋの流れを示す長手方向の縦断面図である。
【図１０】同じく遊技球Ｋの流れを示す平面図である。
【図１１】本発明実施形態の球貯留タンク１が遊技機の内枠１０２に取り付けられた遊技機１００を裏側から見た斜視図である。
【図１２】本発明実施形態の球貯留タンク１が遊技機の内枠１０２に取り付けられた状態の背面図である。
【発明を実施するための形態】
【００１７】
本発明実施形態の遊技機１００の長手方向に沿って一側に配置される球貯留タンク１について図１〜図１１を参照して説明する。
【００１８】
球貯留タンク１は、遊技球を排出する排出通路２と、排出通路２の設けられていない領域に、谷部３を隔て、長手方向に沿って形成される２つの丘部４，５と、を備えている。２つの丘部４，５は、それぞれ、谷部３に向かって高さが低くなるように傾斜する第１斜面６，７，第２斜面９ａ，９ｂを備えること、これらの第１斜面６，７は排出通路２の底面２ａ及び谷部３の底面３ａよりも高い位置に形成されること、２つの丘部４，５から流れる遊技球の流れが谷部３で合流し、排出通路２へ流れる流路となること、を特徴とする。以下、詳細を説明する。
【００１９】
図１、図２、図１１、図１２に示す通り、球貯留タンク１は有底で上面開口する細長の箱状体であり、その長手方向が遊技機１００の横幅方向となるように形成されている。球貯留タンク１は、排出通路２、谷部３、及び丘部４，５を形成する底板１１と、長手方向に形成された、右側板１２と、左側板１３と、上流側に位置する前板１４と、下流側に位置する後板１５と、内枠１０２に固定するための取付凸部１６と、供給量規制部材８を嵌め込むための取付溝１７及び取付凹部１８と、高さ調整部材１０を嵌め込むための嵌合溝１９と、金属製の静電アース部材２０と、を備えている。底板１１、右側板１２、左側板１３、前板１４、後板１５、取付凸部１６、取付溝１７、取付凹部１８、嵌合溝１９、排出通路２、および丘部４，５は、合成樹脂で一体成形されている。
【００２０】
底板１１が、図中、右下がりに傾斜し、上流側ほど高さが高く、下流側ほど高さが低くなっており、排出通路２はタンクレール１０１と連通している。
【００２１】
底板１１の傾斜角度と、タンクレール１０１の傾斜角度は、概ね、右下がりに傾斜し、同様の角度に設定してある。この傾斜角度は３〜６度の範囲（図では５度）で設定されることが好ましい。
【００２２】
左側板１３の排出通路２に対応する部分は開口し、タンクレール１０１と連通する。
【００２３】
排出通路２は、左側板１３に隣接して形成される直線状の通路である。排出通路２の幅は、遊技球１個以上２個未満に設定され、遊技球Ｋの１球が通過できるが２個は通らない幅とされる、いわゆる１条通路であり、長手方向に延長する凹溝である。排出通路２の幅は１個半くらい（１５mmくらい）が好ましいが、限定されるわけではない。また排出通路２は進行方向（長手方向）に高さが低くなるように右下がりに傾斜する。角度は２°〜１０°の範囲が例示できるが、限定されるわけではない。
【００２４】
谷部３は長手方向と概ね直交方向（短手方向）に延び出しているが、長手方向に対して傾斜し底板１１を斜めに横切るような状態で形成してもよい。谷部３の幅は、遊技球１個以上で２個未満が好ましく、ここでは遊技球１個分程度であるが、限定されるわけではない。谷部３は短手方向に向かって低くなるように傾斜し、合流領域Ｇの方に流れ込む。この谷部３により遊技球Ｋを崩して詰まりを防ぐ。谷部３は合流領域Ｇに向かってその幅が拡径しているが、狭くしてもよいし、平行でも問題はない。谷部３の位置は長手方向の中央より下流側に寄った位置に配置している。
【００２５】
丘部４，５は、その上面を形成する第１斜面６，７と、その下面を形成する第２斜面９ａ，９ｂとを備え、第１斜面６，７の傾斜度が第２斜面９ａ，９ｂの傾斜度よりも緩やかである。第２斜面９ａ，９ｂの下端部は谷部３の底面３ａの端部にそれぞれ接続する。丘部４の表面積は丘部５の表面積よりも小さく設定される。
【００２６】
谷部３の上部空間に遊技球の供給を規制する供給量規制部材８を配置し、この供給量規制部材８の高さは、排出通路２の底面２ａからの高さが遊技球数の３個未満の高さ、ここでは、１．３〜２．５個、好ましくは、１．５〜２個に設定される。
【００２７】
２つの丘部４，５は、第１斜面６，７のほかに、谷部３と隣接する領域にそれぞれ第２斜面９ａ，９ｂが形成されている。これらの第２斜面９ａ，９ｂは平面視で略Ｌ字形状に形成され、その角部が対向し、また、角部は弧状に形成される。第２斜面９ａ，９ｂの平面視での幅は排出通路２よりも狭く設定されている。谷部３に臨む第２斜面９ａ，９ｂは対向し、その幅は徐々に拡大する。排出通路２に臨む第２斜面９ａ，９ｂは合流領域Ｇを介して離間し排出通路２と平行に延び出し、その幅は概ね一定である。
【００２８】
第２斜面９ａと、谷部３及び排出通路２の下流側の間に略Ｌ字形状の稜線Ｒ３が形成され、第２斜面９ｂと、谷部３及び排出通路２の上流側の間に略Ｌ字形状の稜線Ｒ４が形成され、谷部３と排出通路２の間に平面視で傾斜した稜線Ｒ５が形成され、その箇所で傾斜が緩やかになる。第１斜面６の角度は２°〜１０°、第１斜面７の角度は２°〜１０°の範囲が例示できるが、限定されるわけではない。第１斜面６，７は長手方向に谷部３に向かって高さが低くなるように傾斜しており、第１斜面６の角度は第２斜面７の角度は同一に設定されているが、角度に差を設けてもよく、限定されるわけではない。２つの丘部４，５は、その短手方向には傾斜がつけられていないが、必要に応じて、排出通路２に向かって高さが低くなるように傾斜を設けてもよい。稜線Ｒ1、Ｒ２、稜線Ｒ3、Ｒ4は角部がＲ状に丸みを設けてある。
【００２９】
第２斜面９ａ、９ｂは、第１斜面６、７よりも急角度に設定されており、３０°〜４０°、２０°〜４０°の範囲が例示できるが、限定されるわけではない。この角度により、いわゆる段差が形成され、遊技球Ｋの力の均衡を崩すことができる。第２斜面９ａ、９ｂの高さは３〜１０mm段差が例示できるが限定されるわけではない。
【００３０】
排出通路２と谷部３とはＴ字形状の底面を形成する。これらの交差箇所に合流領域Ｇが形成される。この合流領域Ｇにおいて、排出通路２からの遊技球Ｋの流れ、谷部３からの遊技球Ｋの流れ、丘部４からの遊技球Ｋの流れ、丘部５からの遊技球Ｋの流れの４つの遊技球Ｋの流れが合流するようになっている。
【００３１】
球貯留タンク１の下流側の端部の上面部には、図４，５に示す供給量規制部材８が取り付けられる。この供給量規制部材８の上から、パチンコ機が配置されたホールの島から遊技球Ｋが補給され、この供給量規制部材８で遊技球Ｋを一旦、受けてから、排出通路２、谷部３、あるいは丘部４，５へ流下させる。供給量規制部材８の位置は、タンク３の下流側端部に限らず、他の場所でも良い。
【００３２】
図４，５に示す通り、供給量規制部材８は、右側板１２と左側板１３の上部に嵌脱自在な皿形状または庇形状の構造であり、供給量規制部材８の長手方向に複数枚の仕切板８１が遊技球Ｋ１個の直径よりも小さな間隔を置いて形成されている。供給量規制部材８の両側面に一対の軸８２が形成され、一対の押え板８３、追加の押え板８４、左側側面に遊技球Ｋを合流領域Ｇの上流側斜め方向に誘導し排出通路２への流下を規制または回避する誘導板８５が形成されている。軸８２は、右側板１２、左側板１３の対応する上端の箇所に形成される一対の取付溝１７（図１等参照）にそれぞれ嵌着し、押え板８３で右側板１２、左側板１３を抑え、供給量規制部材８を固定することができる。ここでは、供給量規制部材８は、谷部３、丘部４を覆い、さらに、丘部５の先端部を覆う位置関係になり、谷部３には直接、流下しないようにしてある。供給量規制部材８の先端部の位置は丘部５の先端部に位置しているが、谷部３の上部に位置するなど、適宜に設定が可能である。
【００３３】
この供給量規制部材８は谷部３、丘部４，５への遊技球Ｋの供給個数を減少させるものであり、遊技球Ｋが供給量規制部材８で、一旦、滞留してから溢流させることで、遊技球Ｋの供給全量が一気にタンク内に流入しないようにしている。供給量規制部材８は長手方向の上流側に向かって高さが低くなるように傾斜している。供給量規制部材８の流出先端部と、丘部５の第１斜面７の面の隙間の間隔は、遊技球Ｋが少なくとも１球通過できる間隔で、３個、好ましくは２個が入らないように上限を設定（たとえば、１．５個分）することが好ましい。供給量規制部材８の形状や構造は、適宜、谷部３、丘部４，５の形状や構造に応じて、設定が可能である。
【００３４】
排出通路２の下流端部には、排出通路２の底面２ａから所定の高さに配置される高さ調整部材１０を設け、下流のタンクレール１０１に流れる遊技球Ｋの高さ方向での個数を規制する。高さ調整部材１０は、排出通路２の上部空間を覆う位置関係で固定される。高さ調整部材１０は後板１５と一体化することもできるし、嵌合、接着等により、内壁に取り付けを可能とすることもできる。さらに、固定方式の他、高さ調整可能に取り付けることができる。高さ調整部材１０は排出通路２の底面２ａからの高さが、遊技球Ｋの個数が３個分未満、例えば、１個〜２個、特に、１個〜１．５個が好ましい。高さ調整部材１０は板状構造であり、平板材の片側に延長部を備えたものであるが、同様な高さ制限機能を有する他の形状、構造でもよい。
【００３５】
次に、本発明実施形態の遊技機の球貯留タンク１を遊技機１００に適用した例について図１１〜図１２を参照して説明する。内枠１０２の背面の上部片側（右側）領域に球貯留タンク１は形成されている。球供給装置は、横方向に延び出す第１球通路ユニットＡと、縦方向に延び出す第２球通路ユニットＢに分割されて、これらがＬ字形状に連続するように矩形状の内枠１０２に取着されたものである。第１球通路ユニットＡ及び第２球通路ユニットＢは、遊技球Ｋの流下する状態を視認し易くするため、光透過性合成樹脂材により形成される。内枠１０２は方形の開口１０３を備えており、方形の開口１０４を有する矩形状の外枠１０５の一方側の縦枠に対してヒンジ１０６により開閉可能に取り付けられる。第１球通路ユニットＡ、第２球通路ユニットＢはビス（図示略）により内枠１０２に取り付けられる。
【００３６】
第１球通路ユニットＡは、内枠１０２の背面側に設けられて遊技球Ｋを受け入れ、一時的に貯留し、下流に排出する球貯留タンク１と、球貯留タンク１の下流側に接続し球貯留タンク１から流出する遊技球Ｋを受けて長手方向に１列に整列誘導するタンクレール１０１と、タンクレール１０１を流れる遊技球Ｋを均す球均し部材１０７を備えている。
【００３７】
タンクレール１０１は、球１個が流れる１条式の構造である。タンクレール１０１の出口と竪樋１０８の入口で遊技球Ｋが進行方向を縦方向に９０度変更される。
【００３８】
第２球通路ユニットＢは、竪樋１０８と、球払出装置１０９と、球払出装置１０９から払い出された遊技球Ｋを球受け皿（図示略）へ誘導する誘導樋１１０と、を備えている。
【００３９】
竪樋１０８内に遊技球Ｋが存在するか否かを検出する球切れスイッチ（図示略）や、遊技球Ｋを機外へ排出する球抜き機構（図示略）が設けられる。
【００４０】
球払出装置１０９は、遊技球Ｋ（賞球、貸し球）を払い出す樋と、払い出し部と、球通過センサ、モータ等を備えるものである。
【００４１】
誘導樋１１０は、球払出装置１０９から排出される遊技球Ｋ（賞球）を上皿（図示略）に流下させるものである。なお、パチンコ機のその他の構成は公知であるので、その他の構成の記載は略す。
【００４２】
次に、球貯留タンク１の動作及び効果を説明する。島から流下した遊技球Ｋは、供給量規制部材８に一旦受け止められ、自重で付勢され、第１斜面６，７上に落ちて下流方向に流れる。そして、図５、図７に示す通り、遊技球Ｋは、一旦、谷部３あるいは丘部５に流下する。流れの一部は丘部４に回り込み、これらの一帯が遊技球Ｋで満たされ、流動状態となる。排出通路２、谷部３、丘部４及び５の流れは合流領域Ｇのところで合流する。遊技球Ｋに圧力がかかっても、丘部４及び５の第２斜面９ａ，９ｂによって、谷部３あるいは合流領域Ｇのところで、遊技球Ｋが噛み込んで詰まっても、次の遊技球Ｋが押すことで、遊技球Ｋの力の均衡を崩すので、遊技球Ｋが詰まりなく流れることができる。これにより、遊技球Ｋの噛み込みによる球詰まりを確実に防止でき、安定的で円滑な排出通路２の流れが形成できる。
【００４３】
排出通路２の底面２ａからの高さが、遊技球Ｋの直径の１〜２倍となるように高さ調整部材１０の高さ位置が設定されるので、タンクレール１０１への遊技球Ｋの流出を上方向から規制することで、１条通路での球詰まりを防止できる。これにより、球出口で遊技球が２段あるいは３段以上に積み重ならないので、タンクレール１０１での縦の積み重ねの球数を１個または多くても２個に制限できるというという効果がある。
【００４４】
なお、球払出装置１０９による遊技球Ｋの払出動作を説明する。遊技者が発射ハンドル（図示略）を操作して遊技球Ｋを遊技盤（図示略）の盤面上に発射し、遊技球Ｋが入賞口（図示略）等に入ると、払出制御基板（図示略）が球払出装置１０９を作動させ、球払出装置１０９から遊技球Ｋの払い出しが行われる間、球貸し時、入賞時のいずれも、遊技球Ｋが球貯留タンク１、タンクレール１０１、竪樋１０８を経て球払出装置１０９へ流送され、球払出装置１０９から誘導樋１１０を経て上皿（図示略）へ払い出されるとともに、払い出し数をカウントして入賞の種類に応じた個数が払い出されると球払出装置１０９の払い出し作動を停止させる。また、遊技者が上皿（図示略）にある貸出釦（図示略）を押下すると、払出制御基板（図示略）が球払出装置１０９を作動させ遊技球Ｋを下流の上皿（図示略）に払い出す。
【００４５】
本発明は、上述の実施の形態に限定されるものではなく、本発明の技術的思想を逸脱しない範囲において、改変等を加えることが出来るものであり、それらの改変、均等物等も本発明の技術的範囲に含まれる。当業者は、本発明の開示に鑑みて、本発明の要旨から離れることなく多数の改良、変更、置換、欠失、追加等が可能であることは無論である。
【００４６】
例えば、遊技機の一例としてパチンコ機への適用について説明したが、他の遊技機、例えば雀球遊技機やアレンジボール遊技機などに適用してもよい。
【００４７】
例えば、谷部３、丘部４，５の形状・構造は、実施形態のものに限定されるものではなく、また、丘部４，５の形状・構造、特に、第１斜面６，７、第２斜面９ａ、９ｂの傾斜度、面積、形状等は図示に限定されることなく、適宜の範囲で変更できる。
【００４８】
例えば、実施形態では、供給量規制部材８は谷部３を覆う位置で設けたが、これに限らず、前後、左右にずらした位置でもよく、また、覆う面積、設置高さも適宜設定可能である。さらには、供給量規制部材８を無くした構造でもよい。
【符号の説明】
【００４９】
１・・・球貯留タンク
２・・・排出通路
２ａ・・・底面
３・・・谷部
３ａ・・・底面
４，５・・・丘部
６，７・・・第１斜面
８・・・供給量規制部材
９ａ，９ｂ・・・第２斜面
１１・・・底板
１２・・・右側板
１３・・・左側板
１４・・・前板
１５・・・後板
１６・・・取付凸部
１７・・・取付溝
１８・・・取付凹部
１０・・・高さ調整部材
１９・・・嵌合溝
２０・・・静電アース部材
Ｒ1、Ｒ２・・・稜線
Ｒ３、Ｒ４・・・稜線
Ｒ５・・・稜線
８１・・・仕切板
８２・・・軸
８３・・・押え板
８４・・・押え板
８５・・・誘導板
１００・・・遊技機
１０１・・・タンクレール
１０２・・・内枠
１０３、１０４・・・開口
１０５・・・外枠
１０６・・・ヒンジ
１０７・・・球均し部材
１０８・・・竪樋
１０９・・・球払出装置
１１０・・・誘導樋
Ａ・・・第１球通路ユニット
Ｂ・・・第２球通路ユニット
Ｇ・・・合流領域
Ｋ・・・遊技球
【図１】
0006500321.tif 000002
【図２】
0006500321.tif 000003
【図３】
0006500321.tif 000004
【図４】
0006500321.tif 000005
【図５】
0006500321.tif 000006
【図６】
0006500321.tif 000007
【図７】
0006500321.tif 000008
【図８】
0006500321.tif 000009
【図９】
0006500321.tif 000010
【図１０】
0006500321.tif 000011
【図１１】
0006500321.tif 000012
【図１２】
0006500321.tif 000013